【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
第１の期間に電流信号を蓄積し、第２の期間に電流信号を蓄積する容量素子と、
前記容量素子に蓄積された電荷量に応じて導通状態が設定される第１のトランジスタと、を含み、
前記第１のトランジスタの前記導通状態に応じた電流量を有する電流が電子素子に供給され、
前記第１のトランジスタは、第１のゲートと、第１のソース及び第１のドレインを備えていること、
を特徴とする電子回路。
【請求項２】
第１のモードにおいて電流信号を蓄積し、第２のモードにおいて電圧信号を蓄積する容量素子と、
前記容量素子に蓄積された電荷量に応じて導通状態が設定される第１のトランジスタと、を含み、
前記第１のトランジスタの前記導通状態に応じた電流量を有する電流が電子素子に供給され、
前記第１のトランジスタは、第１のゲートと、第１のソース及び第１のドレインを備えていること、
を特徴とする電子回路。
【請求項３】
請求項１又は２に記載の電子回路において、
さらに第２のトランジスタを含み、
前記電流信号及び前記電圧信号は、前記第２のトランジスタを介して供給されること、
を特徴とする電子回路。
【請求項４】
請求項１乃至３のいずれかに記載の電子回路において、
前記電流信号はアナログデータであり、
前記電圧信号はデジタルデータであること、
を特徴とする電子回路。
【請求項５】
請求項１乃至４のいずれかに記載の電子回路において、
さらに、前記第１のゲートと前記第１のドレインとの電気的接続を制御する第３のトランジスタを含むこと、
を特徴とする電子回路。
【請求項６】
請求項１乃至５のいずれかに記載の電子回路において、
さらに、第４のトランジスタを含み、
前記第４のトランジスタは、前記第１のトランジスタの前記導通状態が設定された後、前記電子素子に対する前記電流の供給を制御すること、
を特徴とする電子回路。
【請求項７】
請求項１乃至６のいずれかに記載の電子回路において、
さらに、第５のトランジスタを含み、
前記第５のトランジスタがオン状態となることにより、前記容量素子に保持された電荷量が所定状態となること、
を特徴とする電子回路。
【請求項８】
複数の走査線と、
複数のデータ線と、
複数の単位回路と、
第１のモードにおいて、前記複数の単位回路の各々に含まれる容量素子に蓄積される電流信号を出力する電流出力回路と、
第２のモードにおいて、前記複数の単位回路の各々に含まれる容量素子に蓄積される電圧信号を出力する電圧出力回路と、を備えること、
を特徴とする電気光学装置。
【請求項９】
請求項８に記載の電気光学装置において、
前記電流信号及び前記電圧信号は、前記複数のデータ線のうちの１つのデータ線を介して、前記複数の単位回路の各々に供給されること、
を特徴とする電気光学装置。
【請求項１０】
請求項８に記載の電気光学装置において、
前記複数のデータ線は、複数の第１のデータ線と複数の第２のデータ線とを含み、
前記電流信号は、前記複数の第１のデータ線のうちの１つの第１のデータ線を介して前記複数の単位回路の各々に供給され、
前記電圧信号は、前記複数の第２のデータ線のうち１つの第２のデータ線を介して前記複数の単位回路の各々に供給されること、
を特徴とする電気光学装置。
【請求項１１】
請求項８乃至１０のいずれかに記載の電気光学装置において、
前記複数の単位回路の各々は、電気光学素子を含むこと、
を特徴とする電気光学装置。
【請求項１２】
請求項１１に記載の電気光学装置において、
前記電気光学素子は、EL素子であること、
を特徴とする電気光学装置。
【請求項１３】
請求項１２に記載の電気光学装置において、
前記EL素子は、有機材料で構成された発光層を有すること、
を特徴とする電気光学装置。
【請求項１４】
請求項１乃至７のいずれかに記載の電子回路を含む電気光学装置。
【請求項１５】
請求項８乃至１４のいずれかに記載の電気光学装置を備えた電子機器。
【手続補正２】
【補正対象書類名】明細書
【補正対象項目名】発明の名称
【補正方法】変更
【補正の内容】
【発明の名称】電子回路、電気光学装置、及び電子機器
【手続補正３】
【補正対象書類名】明細書
【補正対象項目名】０００７
【補正方法】変更
【補正の内容】
【０００７】
本発明の係る電子回路は、第１の期間に電流信号を蓄積し、第２の期間に電流信号を蓄積する容量素子と、前記容量素子に蓄積された電荷量に応じて導通状態が設定される第１のトランジスタと、を含み、前記第１のトランジスタの前記導通状態に応じた電流量を有する電流が電子素子に供給され、前記第１のトランジスタは、第１のゲートと、第１のソース及び第１のドレインを備えていること、を特徴とする。
本発明に係る他の電子回路は、第１のモードにおいて電流信号を蓄積し、第２のモードにおいて電圧信号を蓄積する容量素子と、前記容量素子に蓄積された電荷量に応じて導通状態が設定される第１のトランジスタと、を含み、前記第１のトランジスタの前記導通状態に応じた電流量を有する電流が電子素子に供給され、前記第１のトランジスタは、第１のゲートと、第１のソース及び第１のドレインを備えていること、を特徴とする。
上記の電子回路において、さらに第２のトランジスタを含み、前記電流信号及び前記電圧信号は、前記第２のトランジスタを介して供給されるようにしてもよい。
上記の電子回路において、前記電流信号はアナログデータであり、前記電圧信号はデジタルデータであってもよい。
上記の電子回路において、さらに、前記第１のゲートと前記第１のドレインとの電気的接続を制御する第３のトランジスタを含むことが好ましい。
上記の電子回路において、さらに、第４のトランジスタを含み、前記第４のトランジスタは、前記第１のトランジスタの前記導通状態が設定された後、前記電子素子に対する前記電流の供給を制御するようにしてもよい。
上記の電子回路において、さらに、第５のトランジスタを含み、前記第５のトランジスタがオン状態となることにより、前記容量素子に保持された電荷量が所定状態となるようにしてもよい。
本発明に係る電気光学装置は、複数の走査線と、複数のデータ線と、複数の単位回路と、第１のモードにおいて、前記複数の単位回路の各々に含まれる容量素子に蓄積される電流信号を出力する電流出力回路と、第２のモードにおいて、前記複数の単位回路の各々に含まれる容量素子に蓄積される電圧信号を出力する電圧出力回路と、を備えることを特徴とする。
上記の電気光学装置において、前記電流信号及び前記電圧信号は、前記複数のデータ線のうちの１つのデータ線を介して、前記複数の単位回路の各々に供給されるようにしてもよい。
上記の電気光学装置において、前記複数のデータ線は、複数の第１のデータ線と複数の第２のデータ線とを含み、前記電流信号は、前記複数の第１のデータ線のうちの１つの第１のデータ線を介して前記複数の単位回路の各々に供給され、前記電圧信号は、前記複数の第２のデータ線のうち１つの第２のデータ線を介して前記複数の単位回路の各々に供給されるようにしてもよい。
上記の電気光学装置において、前記複数の単位回路の各々は、電気光学素子を含むようにしてもよい。
上記の電気光学装置において、前記電気光学素子は、EL素子であってもよい。
上記の電気光学装置において、前記EL素子は、有機材料で構成された発光層を備えていてもよい。
本発明に係る他の電気光学装置は、上記の電子回路を含む。
本発明に係る電子機器は、上記の電気光学装置を備えている。
本発明の第１の電子回路は、電子素子と、データ信号を蓄積する容量素子と、前記容量素子に蓄積された前記電荷量に相対して導通状態が設定され、前記導通状態に相対した電流量を前記電子素子に供給する第１のトランジスタとを含み、前記容量素子は、前記データ信号としてのデータ電流及びデータ電圧を蓄積可能である。